(57)【要約】  ユーザがパスコードの入力に先立ってウェアレベリング作業を完了することを要する電子ロック。ウェアレベリング作業により、ユーザは、タッチインターフェースの摩耗を分散させるために、パスコードと関連していない場合のあるタッチインターフェースの１つ又は２つ以上の部分にタッチする。ウェアレベリング作業について選択されるタッチインターフェースのこれらの領域を、擬似乱数発生器に基づいて且つ／或いは使用頻度の少ない領域を識別するためにタッチインターフェースの使用を追跡することによって、決定することができる。【選択図】図４
2017517049.tif 000002
【特許請求の範囲】
【請求項１】
電子ロックであって、
伸長位置と引っ込み位置との間で動くことができるボルトを含むラッチ組立体と、
タッチインターフェースと、
前記タッチインターフェースと電気通信状態にある回路とを有し、前記回路は、前記タッチインターフェースに入力されている有効パスコードに応答して前記伸長位置から前記引っ込み位置への前記ボルトの運動を制御するよう構成され、
前記回路は、パスコードの入力に先立って前記タッチインターフェースの１つ又は２つ以上の部分の選択を要するウェアレベリング作業を要するよう構成されている、電子ロック。
【請求項２】
前記ウェアレベリング作業は、パスコードの入力に先立って前記タッチインターフェース上の少なくとも１回の入力を要する、請求項１記載の電子ロック。
【請求項３】
前記ウェアレベリング作業は、パスコードの入力に先立って前記タッチインターフェース上の複数回の入力を要する、請求項２記載の電子ロック。
【請求項４】
前記回路は、前記ウェアレベリング作業を完了するために選択されるべき前記タッチインターフェースの前記部分に関する視覚的表示を前記タッチインターフェース上に提供するよう構成されている、請求項３記載の電子ロック。
【請求項５】
前記回路は、前記ウェアレベリング作業について選択されるべき前記タッチインターフェースの１つ又は２つ以上の部分を照明するよう構成されている、請求項４記載の電子ロック。
【請求項６】
前記ウェアレベリング作業は、前記タッチインターフェースの前記照明部分を選択することによって完了する、請求項５記載の電子ロック。
【請求項７】
前記タッチインターフェースの前記照明部分は、全体的に同軸である、請求項５記載の電子ロック。
【請求項８】
前記回路は、前記タッチインターフェース上における前記ウェアレベリング作業の一部分に関する入力の受け取りに応答して前記ウェアレベリング作業を完了するのに必要な前記タッチインターフェースの前記部分の視覚的表示を順次提供するよう構成されている、請求項４記載の電子ロック。
【請求項９】
前記ウェアレベリング作業は、少なくとも所定の期間にわたって、前記タッチインターフェースの１つ又は２つ以上の部分の選択を要する、請求項４記載の電子ロック。
【請求項１０】
前記所定の期間は、パスコードを前記タッチインターフェース上に入力するのに必要な期間よりも長い、請求項９記載の電子ロック。
【請求項１１】
前記回路は、前記タッチインターフェースの摩耗使用量を追跡するよう構成されている、請求項２記載の電子ロック。
【請求項１２】
前記ウェアレベリング作業を完了するために選択されるべき前記タッチインターフェースの部分は、前記ウェアレベリング作業中に選択される、それほど多くは使用されない前記タッチインターフェースの１つ又は２つ以上の部分を要することによって、少なくとも一部において前記タッチインターフェースの前記摩耗使用量に基づいている、請求項１１記載の電子ロック。
【請求項１３】
前記ウェアレベリング作業を完了するために選択されるべき前記タッチインターフェースの部分は、少なくとも一部において擬似乱数発生器に基づいている、請求項２記載の電子ロック。
【請求項１４】
前記回路は、前記ウェアレベリング作業が完了したことを視覚的に且つ／或いは可聴的に表示するよう構成されている、請求項２記載の電子ロック。
【請求項１５】
前記回路は、前記ウェアレベリング作業が完了したことを表示するよう前記タッチインターフェースの少なくとも一部分を点滅によって照明するよう構成されている、請求項１４記載の電子ロック。
【請求項１６】
前記タッチインターフェースは、タッチキーパッド又はタッチスクリーンのうちの一方から成る、請求項１記載の電子ロック。
【請求項１７】
電子ロックであって、
伸長位置と引っ込み位置との間で動くことができるボルトを含むラッチ組立体と、
タッチインターフェースと、
前記タッチインターフェースと電気通信状態にある回路とを有し、前記回路は、前記タッチインターフェースに入力されている有効パスコードに応答して前記伸長位置から前記引っ込み位置への前記ボルトの運動を制御するよう構成され、
前記回路は、前記タッチインターフェースの摩耗使用量を追跡するよう構成され、
前記回路は、パスコードの入力に先立って前記タッチインターフェースの１つ又は２つ以上の部分の選択を要するウェアレベリング作業を要するよう構成され、
前記回路は、少なくとも一部において前記摩耗使用量に基づき、前記ウェアレベリング作業を完了するために選択されるべき前記タッチインターフェースの前記１つ又は２つ以上の部分を決定するよう構成され、
前記回路は、前記ウェアレベリング作業を完了するために選択されるべき前記タッチインターフェースの前記１つ又は２つ以上の部分に関する視覚的表示を前記タッチインターフェース上に提供するよう構成されている、電子ロック。
【請求項１８】
前記回路は、前記摩耗使用量に基づいて前記タッチインターフェースの前記それほど多くは使用されない部分を選択することによって、前記ウェアレベリング作業を完了するために選択されるべき前記タッチインターフェースの前記１つ又は２つ以上の部分を決定するよう構成されている、請求項１７記載の電子ロック。
【請求項１９】
前記回路は、少なくとも一部において擬似乱数発生器に基づき、前記ウェアレベリング作業を完了するために選択されるべき前記タッチインターフェースの前記１つ又は２つ以上の部分を決定するよう構成されている、請求項１７記載の電子ロック。
【請求項２０】
前記回路は、前記ウェアレベリング作業を完了するために選択されるべき前記タッチインターフェースの前記部分に関する視覚的表示を前記タッチインターフェース上に提供するよう構成されている、請求項１７記載の電子ロック。
【請求項２１】
前記回路は、前記ウェアレベリング作業を完了するために選択されるべき前記タッチインターフェースの前記１つ又は２つ以上の部分を照明するよう構成されている、請求項２０記載の電子ロック。
【請求項２２】
前記ウェアレベリング作業は、前記タッチインターフェースの前記照明部分を選択することによって完了する、請求項２１記載の電子ロック。
【請求項２３】
前記タッチインターフェースの前記照明部分は、全体的に同軸である、請求項２２記載の電子ロック。
【請求項２４】
前記回路は、前記タッチインターフェース上における前記ウェアレベリング作業の一部分に関する入力の受け取りに応答して、前記ウェアレベリング作業を完了するのに必要な前記タッチインターフェースの前記部分を順次照明するよう構成されている、請求項１７記載の電子ロック。
【請求項２５】
前記ウェアレベリング作業は、少なくとも所定の期間にわたって、前記タッチインターフェースの１つ又は２つ以上の部分の選択を要する、請求項１７記載の電子ロック。
【請求項２６】
前記所定の期間は、パスコードを前記タッチインターフェース上に入力するのに必要な期間よりも長い、請求項２５記載の電子ロック。
【請求項２７】
電子ロックのためのタッチ面上の摩耗を平滑化する方法であって、前記方法は、
ウェアレベリング作業を完了するために選択されることを要する電子ロックのタッチインターフェースの１つ又は２つ以上の部分を決定するステップと、
前記ウェアレベリング作業を完了するために選択されることを要する前記タッチインターフェースの前記１つ又は２つ以上の部分を前記タッチインターフェース上に視覚的に表示するステップと、
前記ウェアレベリング作業を完了するために選択されることを要する前記タッチインターフェースの前記１つ又は２つ以上の部分の選択時に前記ウェアレベリング作業が完了したことを視覚的に且つ／或いは可聴的に表示するステップとを含む、方法。
【請求項２８】
前記ウェアレベリング作業を完了するために選択されることを要するタッチインターフェースの前記１つ又は２つ以上の部分を決定する前記ステップは、少なくとも一部において擬似乱数発生器を用いて実施される、請求項２７記載の方法。
【請求項２９】
前記タッチインターフェースの摩耗使用量を追跡するステップを更に含む、請求項２７記載の方法。
【請求項３０】
前記ウェアレベリング作業を完了するために選択されることを要するタッチインターフェースの前記１つ又は２つ以上の部分を決定する前記ステップは、少なくとも一部において前記タッチインターフェースの前記摩耗使用量を用いて実施される、請求項２９記載の方法。
【請求項３１】
前記ウェアレベリング作業を完了するために選択されることを要する前記タッチインターフェースの前記１つ又は２つ以上の部分の前記視覚的表示は、前記タッチインターフェースの必要とされる前記部分を照明することによって実施される、請求項２７記載の方法。
【請求項３２】
前記ウェアレベリング作業を完了するために選択されることを要する前記タッチインターフェースの前記１つ又は２つ以上の部分の前記視覚的表示は、前記タッチインターフェース上における前記ウェアレベリング作業について選択されることを要する前記部分の選択の受け取りに応答して、前記ウェアレベリング作業を完了するために選択されることを要する前記タッチインターフェースの前記１つ又は２つ以上の部分を順次照明することによって実施される、請求項２７記載の方法。
【発明の詳細な説明】
【技術分野】
【０００１】
本発明は、一般に、電子ロックに関し、特に、ランダム化コードエントリによるタッチ面の使用量及びウェア（摩耗）レベリング（平滑化）方式の電子ロックに関する。
【０００２】
〔関連出願の説明〕
本願は、２０１４年３月２５日に出願された米国特許仮出願第６１／９７０，１２７号（発明の名称：Electronic Lock Having Usage and Wear Leveling of a Touch Surface through Randomized Code Entry）の権益主張出願であり、この米国特許仮出願を参照により引用し、その記載内容全体を本明細書の一部とする。
【背景技術】
【０００３】
電子ロックは、周知である。或る特定の形式の電子ロックをロック解除するためには、ユーザは、タッチ面を用いて有効パスコードを電子ロックに入力しなければならない。しかしながら、タッチ面の長期間にわたる使用後、ユーザの人差し指の先に付着していた油やほこりが汚れを残す場合があり、しかも最も多く用いられる領域にすり減りを生じさせる場合がある。この摩耗が進むと、最も多く用いられる領域は、それほど用いられてはいない領域から目に見えて識別可能になる。これにより、潜在的なセキュリティ上のリスクが生じる。というのは、パスコードを推定しようとする人が今や、摩耗したキーの順番を割り出しさえすれば良いからである。したがって、パスコードを入力するために用いられるタッチ面上の目に見える摩耗領域を減少させる電子ロックが要望されている。
【発明の概要】
【０００４】
一観点では、本開示内容は、ユーザがパスコードの入力に先立ってウェアレベリング（摩耗平滑化、wear leveling）作業又は行為を完了することを要する電子ロックを提供する。ウェアレベリング作業により、ユーザは、タッチインターフェースの摩耗を分散させるために、パスコードと関連していない場合のあるタッチインターフェースの１つ又は２つ以上の部分にタッチする。例えば、ユーザは、パスコードの入力に先立ってタッチインターフェースの複数の領域にタッチすることが要求される場合がある。ウェアレベリング作業について選択されるタッチインターフェースのこれらの領域を擬似乱数発生器に基づいて且つ／或いは使用頻度の少ない領域を識別するためのタッチインターフェースの使用量の追跡（トラッキング）によって決定することができる。
【０００５】
幾つかの実施形態では、ウェアレベリングインタラクション（対話・作業）の開始時、インターフェースの単一の領域を照明するのが良い。ユーザがこの領域にタッチした場合（時間的制限の可能性あり）、照明が止み、そしてインターフェースの第２の領域（第１の領域と同一である場合がある）が灯る。第２の領域（又は３つ以上の領域）のタッチ時、ウェアレベリングインタラクションが完了する。
【０００６】
ウェアレベリング作業が、照明されるキーの横の列（ロウ）又は縦の列（コラム）のタッチに基づくのが良い実施形態が想定される。例えば、電子ロックは、互いに一線をなし且つユーザが３つ全ての領域を連続してタッチするようにさせるタッチインターフェースの３つの領域を照明するのが良い。幾つかの場合、方向性は、問題ではなく、ユーザが線の中点ではなく端点のところで開始しさえすれば良い。代表的には、ユーザは、一押し一押し相互間で（一押しごとに）自分の指を持ち上げるのが良い。
【０００７】
別の実施形態では、ウェアレベリング作業では、ユーザが１つ又は２つ以上のキーにタッチしてこの状態を保持する（タッチし続ける）ことを要する場合がある。例えば、電子ロックは、タッチインターフェースの１つの領域を照明し、ユーザは、ウェアレベリング作業が完了したことを表示するタッチインターフェース全体が灯るまでタッチしてこの状態を保持しなければならない。別の例を挙げると、電子ロックは、タッチインターフェースの２つの隣り合う領域を照明するのが良く、ユーザは、タッチインターフェース全体が灯るまで両方の領域をタッチしてこの状態を保持しなければならない。
【０００８】
別の観点によれば、本開示内容は、電子ロックのためのタッチ面上の摩耗を平滑化する方法を提供する。ウェアレベリング作業を完了するために選択されることを要する電子ロックのタッチインターフェースの１つ又は２つ以上の部分を決定する。これら部分をインターフェース上に視覚的に表示する。ウェアレベリング作業を完了するために選択されることを要するタッチインターフェースの領域の選択時、ウェアレベリング作業が完了したという視覚的及び／又は可聴的表示が行われる。幾つかの実施形態では、ウェアレベリング作業を完了するために選択されることを要するタッチインターフェースの１つ又は２つ以上の部分を決定するステップは、少なくとも一部において擬似乱数発生器を用いて実施される。ウェアレベリング作業を完了するために選択されることを要するタッチインターフェースの１つ又は２つ以上の部分を決定するステップが少なくとも一部においてタッチインターフェースの摩耗使用量を用いて実施される実施形態が想定される。
【０００９】
本発明の追加の特徴及び追加の利点は、現時点において認識される本発明の最適実施態様を例示する図示の実施形態の以下の詳細な説明を検討すると、当業者には明らかになろう。
【図面の簡単な説明】
【００１０】
【図１Ａ】本発明の実施形態としての電子ロックがドアに取り付けられた状態で示す側面図であり、ドアが想像線で示されている図である。
【図１Ｂ】ドアの外部から見た図１Ａの電子ロックの斜視図である。
【図１Ｃ】ドアの内部から見た図１Ａの電子ロックの斜視図である。
【図２】図１Ａ〜図１Ｃの電子ロックの分解組み立て図である。
【図３】図２の電子ロックの内部シャーシの斜視図であり、上側カバー及びドーターカードが取り外された状態を示す図である。
【図４】ウェアレベリング作業を利用することができる例示の方法を示す流れ図である。
【図５】実施形態としてのウェアレベリング作業を利用する例示の方法を示す流れ図である。
【図６】実施形態としてのウェアレベリング作業を利用する例示の方法を示す流れ図である。
【図７】実施形態としてのウェアレベリング作業を利用する例示の方法の流れ図である。
【図８Ａ】種々の領域が例示のウェアレベリング方法に基づいて照明された状態の例示のタッチインターフェースを示す図である。
【図８Ｂ】種々の領域が例示のウェアレベリング方法に基づいて照明された状態の例示のタッチインターフェースを示す図である。
【図８Ｃ】種々の領域が例示のウェアレベリング方法に基づいて照明された状態の例示のタッチインターフェースを示す図である。
【発明を実施するための形態】
【００１１】
対応の参照符号は、幾つかの図全体を通じて対応の部分を示している。本明細書において記載される例示は、本明細書の実施形態を説明しており、かかる例示は、どのような仕方であっても本発明の範囲を限定するものと解されるべきではない。
【００１２】
次に図面を参照し、特に図１Ａ〜図１Ｃ及び図２を参照すると、ドアＤに取り付け可能な本発明の実施形態としての電子ロック（ＥＬ）が示されており、この電子ロックは、内部シャーシ１、外部シャーシ２、取り付けプレート３、アダプタ４、ラッチ組立体５、及びストライク６を有する。
【００１３】
図２に示されているように、ラッチ組立体５は、当該技術分野において周知の構成のものであり、このラッチ組立体は、ボルトアクチュエータ機構体７及びボルト８を含む。取り付けプレート３は、電子ロックをドアＤに取り付けるために用いられている。アダプタ４は、電子ロックをドアＤに設けられた特定の穴開口部に適合させるために用いられている。デッドボルトが例示目的で示されているが、本明細書において説明するウェアレベリング（摩耗平滑化）は、電子レバーを含むタッチインターフェースを備えた他形式のロックにも利用できる。
【００１４】
図３も又参照すると、内部シャーシ１は、電子ロックのためのエレクトロニクス回路（電子回路）９を有し、この内部シャーシは、手動のターンピース（回し部品）１０を更に有する。手動ターンピース１０は、ラッチ組立体５のボルトアクチュエータ機構体７を作動させ、そしてボルト８を伸長させたり引っ込めたりするようドアＤの内側部に取り付けられた状態で用いられている（図１Ｃも又参照されたい）。この例では、エレクトロニクス回路９は、ベースボード１１及びオプションとしてのドーターカード１２を含む。図３では、取り外し可能なカバー１３が設けられ、この取り外し可能なカバー１３は、カバー１３が取り付け位置にあるとき、ベースボード１１及びドーターカード１２を覆うようになっている。オプションとしてのドーターカード１２は、所望のワイヤレス通信プロトコル、例えばＺｉｇｂｅｅ（登録商標）、Ｚ‐ｗａｖｅ（登録商標）等による外部機器とのワイヤレス通信を容易にするワイヤレス通信モジュールである。
【００１５】
再び図２を参照すると、外部シャーシ２は、ユーザ入力を受け取るタッチインターフェース１４、例えばタッチスクリーン又はタッチキーパッドを有する。タッチスクリーンとタッチキーパッドの違いは、タッチスクリーンが或る種のディスプレイ、通常はＬＣＤ（これには限定されない）を有することにあり、スマートフォンがタッチスクリーンの主要な例である。タッチキーパッドは、塗装面の裏側に光をあてることによって静止画像を表示し、自動車の計器パネルは、この照明の好例である。タッチスクリーンとタッチキーパッドの両方は、圧力又は機械的作動を必要としないで、接触によってユーザの「ボタン押し」を検出することができる。本開示内容、即ち本発明は、タッチインターフェース１４として用いられるタッチスクリーンとタッチキーパッドの両方に利用できるウェアレベリング技術に関する。
【００１６】
タッチインターフェース１４は、例えば電気ケーブル１５によってエレクトロニクス回路９のベースボード１１に電気的に接続されている。ユーザがエレクトロニクス回路９によって認識される有効パスコードをタッチインターフェース１４を介して入力すると、電気モータ（図示せず）が通電されてラッチ組立体５のボルト８を引っ込め、かくしてドアＤ（図１Ｂ参照）を閉鎖位置から開くことができる。変形例として、取り外し可能なキーＫを備えたキーアクチュエータ１６がラッチ組立体５をドアＤの外部から手動で作動させるために設けられる。
【００１７】
しかしながら、タッチインターフェースを介してパスコードを入力するのに先立って、電子回路９は、以下に詳細に説明するように、ウェアレベリング作業を開始するよう構成されており、ウェアレベリング作業は、タッチインターフェース１４の使用量をタッチ面の実質的に全体にわたって分散させるようになっている。上述したように、ユーザの指先に付着している油やほこりは、汚れを残す場合があり、また、経時的な使用により、タッチ面の最も多く用いられた領域上にすり減りや掻き傷が生じる場合がある。この摩耗が進むと、最も多く用いられる領域は、それほど用いられてはいない領域から目に見えて識別可能になる。これにより、潜在的なセキュリティ上のリスクが生じる。というのは、パスコードを推定しようとする人が今や、摩耗したキーの順番を割り出しさえすれば良いからである。
【００１８】
図４は、ユーザのパスコードと対応した領域の摩耗をタッチインターフェース１４の他の領域と均等にするためにエレクトロニクス回路９によって使用可能な例示のステップを示している。多くの場合、パスコードの入力に先立ってユーザによってタッチインターフェース１４を起動し又は「立ち上げる」（ブロック４００）。例えば、ＥＬは、タッチインターフェース１４を起動するためのボタンを含むのが良い。変形例として、タッチインターフェース１４の一領域を用いてタッチインターフェース１４を起動しても良い。タッチインターフェース１４の起動時、ユーザは、パスコードの入力に先立ってウェアレベリング作業を実施するよう求められる（ブロック４０２）。例えば、ウェアレベリング作業により、ユーザは、パスコードにお構いなしにタッチ面の１つ又は２つ以上の領域をタッチすることが求められる場合がある。例えば、エレクトロニクス回路９は、タッチインターフェース１４のどの領域が照明されるべきであるかを決定するためにＰＲＮＧ（例えば、擬似乱数発生器）を含むのが良い。別の例を挙げると、タッチインターフェースのユーザインタラクション又は対話回数を追跡（トラッキング）するのが良く、そしてタッチインターフェース１４の使用頻度の少ない領域をウェアレベリングのために選択するのが良い。幾つかの場合、ＰＲＮＧ及び／又はタッチインターフェース１４の使用量追跡の組み合わせを用いることができる。ウェアレベリング作業がいったん実施されると、ユーザは、パスコードを入力してＥＬをロック解除することができる（ブロック４０４）。
【００１９】
図５は、本発明の実施形態に従ってエレクトロニクス回路９によって実施できる例示のウェアレベリング作業のステップを示している。この例では、ユーザは、ウェアレベリング作業としてタッチインターフェース１４の複数の領域を順次選択しなければならない。例えば、タッチインターフェースを起動すると（ブロック５００）、エレクトロニクス回路９は、キーに対応したタッチインターフェースの領域のうちの１つを照明するのが良い（ブロック５０２）。この例では、ユーザは、照明された領域をタッチするよう求められる。ユーザが最初の照明された領域をタッチしたことが検出されると（ブロック５０４）、エレクトロニクス回路９は、第２の領域を照明する（ブロック５０６）。次に、ユーザは、第２の照明された領域をタッチすることが求められる。第２の照明領域がタッチされたことが検出されると（ブロック５０８）、ウェアレベリングが完了し（ブロック５１０）、すると、ユーザは、パスコードを入力してＥＬをロック解除することができる。例えば、エレクトロニクス回路９は、タッチインターフェース１４の全ての領域を照明することによってウェアレベリング作業が完了したことを表示するのが良い。この例では、２つの照明された領域がウェアレベリングのために用いられているが、当業者であれば、これは、例示目的であるにすぎないことを理解するはずである。状況に応じてウェアレベリング作業を終わらせるのに先立って、追加の領域を順次照明してユーザがタッチすることができる。
【００２０】
ユーザがボタンを押すことによってタッチインターフェース１４を起動するこの実施形態を一例として検討する。この例では、エレクトロニクス回路９は、擬似乱数発生器及び／又は使用量追跡に基づいて“１”のキーに対応した領域を照明する。“１”キーに対応したタッチインターフェース１４の領域をユーザがタッチすると、エレクトロニクス回路９は、擬似乱数発生器及び／又は使用量追跡に基づいて“７”キーに対応した領域を照明する。ユーザが“７”キーに対応したタッチインターフェース１４の領域をタッチすると、エレクトロニクス回路９は、擬似乱数発生器及び／又は使用量追跡に基づいて“９”キーに対応した領域を照明する。ユーザが“９”キーに対応した領域をタッチしたことを検出すると、エレクトロニクス回路９は、ユーザが今やパスコードを入力することができることを指示するようタッチインターフェース１４の全ての領域を照明するのが良い。
【００２１】
図６は、本発明の別の実施形態に従ってエレクトロニクス回路９によって実施できる例示のウェアレベリング作業のステップを示している。この例では、エレクトロニクス回路９は、同一軸線に沿って一線をなして配列された領域を照明し、ユーザは、パスコードの入力に先立ってこれらの領域を選択しなければならない。例えば、タッチインターフェースを起動すると（ブロック６００）、エレクトロニクス回路９は、キーの横の列又は縦の列のいずれであっても良い一線をなして配置された３つのキーに対応したタッチインターフェースの３つの領域を照明するのが良い（ブロック６０２）。エレクトロニクス回路９は、擬似乱数発生器及び／又は、使用量追跡を用いてタッチインターフェース１４中のキーのどの横列又は縦列が照明されるべきであるかを決定することができる。次に、ユーザは、パスコードの入力に先立って照明された領域を選択するのが良い（ブロック６０４）。幾つかの実施形態では、ユーザが領域（例えば、キー）を選択する方向性は、問題ではなく、ユーザが線の中点ではなく端点のところで開始しさえすれば良い。照明された領域が次々にタッチされたことを検出すると、ウェアレベリングが完了し（ブロック６０６）、すると、ユーザは、パスコードを入力してＥＬをロック解除することができる。
【００２２】
ユーザがボタンを押すことによってタッチインターフェース１４を起動するこの実施形態を一例として検討する。図８Ａに示されたこの例では、エレクトロニクス回路９は、擬似乱数発生器及び／又は使用量追跡に基づいて“１”、“２”、及び“３”キーに対応したタッチインターフェース１４の領域を照明する。ユーザが“１”、“２”、及び“３”キー（又は、“３”、“２”、及び“１”キー）を次々にタッチしたことを検出すると、ウェアレベリングが完了し、すると、ユーザは、パスコードを入力してＥＬをロック解除することができる。図８Ｂに示されている別の例を検討すると、エレクトロニクス回路９が“１”、“４”、及び“７”キーに対応した領域を照明し、ユーザが“１”、“４”、及び“７”キー（又は“７”、“４”、及び“１”キー）を次々に入力すると、ウェアレベリングが完了する。図８Ｃに示された別の例を検討すると、エレクトロニクス回路９が“２”、“５”、及び“８”キーに対応した領域を照明し、ユーザが“２”、“５”、及び“８”キー（又は“８”、“５”、及び“２”キー）を次々に入力すると、ウェアレベリングが完了する。照明された領域を順に入力すると、エレクトロニクス回路９は、タッチインターフェース１４の全ての領域を照明して、ウェアレベリング作業が完了したことを表示することができる。
【００２３】
図７は、本発明の別の実施形態に従ってエレクトロニクス回路９によって実施できる例示のウェアレベリング作業のステップを示している。この実施例では、タッチインターフェースの起動時（ブロック７００）、エレクトロニクス回路９は、タッチインターフェース１４の少なくとも１つの領域を照明する（ブロック７０２）。ユーザは、ウェアレベリングが完了するために、照明された領域を所定の期間にわたってタッチしてこの状態を保持しなければならない。照明された領域のこのタッチ及びその保持を検出すると（ブロック７０４）、ウェアレベリング作業が完了する（ブロック７０６）。
【００２４】
ユーザがボタンを押すことによってタッチインターフェース１４を起動するこの実施形態を一例として検討する。この例では、エレクトロニクス回路９は、“１”に対応した領域を照明する。ユーザは、“１”キーに対応した領域をタッチしてこの状態を保持しなければならない。所定の期間にわたるこの保持後、エレクトロニクス回路９は、タッチインターフェース１４の全ての領域を照明してウェアレベリングが完了したことを表示する。エレクトロニクス回路９が複数の領域、例えば“２”及び“３”キーに対応した領域を照明する別の例を検討する。この例では、ユーザは、“２”及び“３”キーに対応したタッチインターフェース１４の領域をタッチしてこの状態を保持する。所定の期間に達すると、エレクトロニクス回路９は、タッチインターフェース１４の全ての領域を照明してウェアレベリング作業が完了したことを表示する。
【００２５】
別の実施形態では、タッチインターフェース１４の起動時、エレクトロニクス回路９は、ウェアレベリング作業としてタッチされることが必要となる少なくとも１つのキーを除き、タッチインターフェース１４の全ての領域を照明する。ユーザは、ウェアレベリング作業を完了するために照明されていない領域をタッチしなければならない。エレクトロニクス回路９が“２”及び“５”キーに対応した領域を除き、全ての領域を照明する例を検討する。ユーザが“５”キーをタッチすると、エレクトロニクス回路９は、この領域を照明することになる。照明されていない残りの領域は、この例では、“２”キーに対応することになる。ユーザが“２”キーに対応した領域をいったんタッチすると、この領域は、照明され、ウェアレベリング作業が完了する。
【００２６】
別の実施例では、タッチインターフェース１４の１つ又は２つ以上の領域は、点滅状態の場合があり、かかる１つ又は２つ以上の領域をウェアレベリング作業のためにタッチしなければならない。これは、順次実施されるのが良く、これは、１つの点滅領域で始まり、それにより第１の点滅領域のタッチ後に別の点滅領域に導かれ、以下同様であり、ついには、ウェアレベリング作業が完了する。変形例として、複数の点滅領域をタッチインターフェース１４上に提供しても良く、かかるこれら点滅領域は、ウェアレベリング作業を完了するために各々タッチされる必要がある。“２”キーに対応した領域が点滅している例を検討する。ユーザがこの領域にタッチした後、“５”キーに対応した領域は、点滅を開始することができる。ユーザが“５”キーに対応した領域をタッチした後、エレクトロニクス回路１４は、“９”キーに対応した領域の点滅を開始することができる。ユーザがこの領域をタッチした後、ウェアレベリング作業が完了する。
【００２７】
本発明の実施形態に関して本発明を説明したが、本発明は、本発明の精神及び範囲内で更に改造可能である。したがって、本願の要旨は、本発明の一般的原理を用いた本発明の任意の変形例、使用例又は改造例を含むものである。さらに、本願の要旨は、本発明と関連した技術分野において既知のやり方又は慣例の範囲内に属する本発明からのかかる逸脱を含むものである。
【図１Ａ】
2017517049.tif 000003
【図１Ｂ】
2017517049.tif 000004
【図１Ｃ】
2017517049.tif 000005
【図２】
2017517049.tif 000006
【図３】
2017517049.tif 000007
【図４】
2017517049.tif 000008
【図５】
2017517049.tif 000009
【図６】
2017517049.tif 000010
【図７】
2017517049.tif 000011
【図８Ａ】
2017517049.tif 000012
【図８Ｂ】
2017517049.tif 000013
【図８Ｃ】
2017517049.tif 000014
【国際調査報告】
2017517049.tif 000015
2017517049.tif 000016